(57)【要約】【課題】この考案は、掌の指部の素肌感を残したままで手首及び及び腕部の保温をすると同時にサボータ機能をも付与したハンドウオーマー提供する。【解決手段】所定長さの伸縮性筒体の上端を掌の親指の除く他の指を露出する開口部を形成し、該上部開口部の下方部に片側に親指通孔を開口すると共に、前記伸縮性筒体の下方部は、関節部を締め付けるようにした伸縮性筒体下方部とした。【選択図】        図１
0003104396.tif 000002
【実用新案登録請求の範囲】
【請求項１】
所定長さの伸縮性筒体の上端を掌の親指の除く他の指を露出する開口部を形成し、該上部開口部の下方部に片側に親指通孔を開口すると共に、前記伸縮性筒体の下方部は、関節部を締め付けるようにした伸縮性筒体下方部としたことを特徴とするハンドウオーマー。
【請求項２】
伸縮性筒体は、伸縮糸を使用してなる織地よりなる請求項１記載のハンドウオーマー。
【請求項３】
伸縮性筒体は、メリヤス地にて編成してなるを請求項１記載のハンドウオーマー。
【請求項４】
伸縮性筒体は、その手の平側には滑り止め用の粘着感触材を塗布してなる請求項１、請求項２又は請求項３記載のハンドウオーマー。
【請求項５】
伸縮性筒体の上部開口部は、掌の各手指の下端部に沿うようにした請求項１記載のハンドウオーマー。
【請求項６】
伸縮性筒体の下部は手首部を覆う位置に形成した請求項１又は２記載のハンドウオーマー。
【請求項７】
伸縮性筒体の下部は肱部位置に形成した請求項１、請求項２又は請求項３記載のハンドウオーマー。
【請求項８】
伸縮性筒体の上部開口部は、人差し指の下部より手の踵方向に斜め下方向に傾斜せしめて形成した請求項１、請求項２又は請求項３記載のハンドウオーマー。
【考案の詳細な説明】
【技術分野】
【０００１】この考案は、掌の指部の素肌感を残したままで手首及び及び腕部の保温をすると同時にサボータ機能をも付与したハンドウオーマーに関する。
【背景技術】
【０００２】従来、指付き手袋の先端部分を切断して指の先端部分の素肌感覚を維持するような指付き手袋は提供されている。そのような手袋では、ファッション性は考慮されないで、専ら手袋の保温性を保持したまま、手指の素肌感を得るものであった。【０００３】また、スポーツ用としては関節を保護するのにさまざまなサポーターが提供されているが、これらはある特定のスポーツのために提供されている。（例えば、特許文献１）しかしながら、これらをファッションの一つとして採用されるものではない。【０００４】
【特許文献１】特開平１０−２９５８７０
【考案の開示】
【考案が解決しようとする課題】
【０００５】日常の日曜大工、プラモデルの組み立て、ケータイ電話やパソコンのキーボード操作にも即応するためには五指全ての指先の機能を維持するために指先の素肌感覚がなければならない。しかも自室で使用するような場合には、ただ保温、手首の関節の保護が達成されればそれでよいのかも知れないが、戸外又は公の場所で使用されるのであれば保温、手首の関節の保護に加えてファッション性及び日焼け止め効果にも有効なハンドウオーマーとしたものである。
【課題を解決するための手段】
【０００６】上記の課題を解決するために、所定長さの伸縮性筒体の上端を掌の親指の除く他の指を露出する開口部を形成し、該上部開口部の下方部に片側部に親指通孔を開口すると共に、前記伸縮性筒体の下方部は、腕部を覆う伸縮性筒体下部を設けたハンドウオーマーとしたものである。【０００７】伸縮性筒体は、伸縮糸を使用してなる織地よりなるハンドウオーマーとすることもできる。【０００８】また、伸縮性筒体は、メリヤス地にて編成ハンドウオーマーとすることもできる。【０００９】更に、伸縮性筒体は、その手の平側には滑り止め用の粘着感触材を塗布することにより利便性を高めることもできる。【００１０】伸縮性筒体の上部開口部は、掌の各手指の下端部に沿うようにする。【００１１】伸縮性筒体の下部は手首部を覆う位置に形成することもできる。【００１２】伸縮性筒体の下部は肱部位置に形成することによって日焼け止めカバーも併用可能である。【００１３】伸縮性筒体の上部開口部は、人差し指の下部より手の踵方向に斜め下方向に傾斜せしめて形成することにより、素肌感の領域を広げることができる。
【考案の効果】
【００１４】この考案は、伸縮性筒体の上端を掌の親指の除く他の指を露出する開口部を形成し、該上部開口部の下方部に片側部に親指通孔を開口すると共に、前記伸縮性筒体の下方部は、関節部を締め付けるようにした伸縮性筒体下方部を設けたことによって、ハンドウオーマーにおいて五指全ての機能を保持したまま、ファッション性、保温効果及び関節の保護をも効果的に達成することのできるハンドウオーマーを提供するものである。
【考案を実施するための最良の形態】
【００１５】所定長さの伸縮性筒体の上端を掌の親指の除く他の指を露出する上部開口部を形成し、該上部開口部の下方部に片側部に親指通孔を開口すると共に、上部開口部の下方部は腕部を覆う伸縮性筒体下部としたハンドウオーマーとしたものである。
【実施例１】
【００１６】図１〜図２において、所定長さの伸縮性筒体１の上端を掌の親指の除く他の指を露出する上部開口部２を形成し、該上部開口部２の下方部に片側部に親指通孔３を開口すると共に、伸縮性筒体１の下方部は腕部を覆う伸縮性筒体下部４としたハンドウオーマー本体Ａとしたものである。更に、伸縮性筒体１の上端開口部２は手のひらの親指を除く他の各指の下端より下部の指間球を結ぶ線に沿って開口してある。
そして伸縮性筒体下部４は手首又は上腕部位置を覆い、その下部を開口部５が形成されている。【００１７】ハンドウオーマー本体Ａの手のひら側には、所定領域にわたって粘着材６による滑り止め領域７を形成している。【００１８】伸縮性筒体下部開口部５より手を差し込む際に、親指部ａのみを親指通孔３に差し込むと共に、親指部ａを除く他の四本の指ｂを上部開口部２より上方に露出させる。伸縮性筒体１の長さは、使用目的によってその長さを適宜に調整することかできる。          通例は、前記伸縮性筒体１は靴下の編成と同じにメリヤス編みにて編成すると共に、前記親指通孔３は従来の衣類にボタン孔を形成すると同様の方法にて形成すればよい。即ち、該上部開口部２の下方部に片側部に所定長さのあらかじめほつれ防止するボタンホールステッチ６を形成しておき、該ボタンホールステッチ８の中心部を親指部を貫通させるに適当な長さをカッターにて所定長さを線状に切断すればよい。【００１９】なお、伸縮性筒体１は前述のようにメリヤス編みにて編成する。但し、使用目的及び使用用途に応じて、厚編みにする場合には、パイル編み、薄編みにする場合には平編みにすることによってその目的が達成される。伸縮性筒体１を弾性糸にて伸縮性を有する織地にても形成することもできるものである。
【実施例２】
【００２０】より広い領域の手のひらの素肌感覚が必要とされる場合には、図３〜図４に示すように手のひら側を親指通孔１０の上部より下側に斜め方向に大きく記切り欠いたような下方斜辺１１を有するハンドウオーマー本体Ｂとすれば、図４に示すように手のひらのかなりの広い領域が露出して、その目的に適う。
【実施例３】
【００２１】更に、日焼け止め用ハンドウオーマーＣとして使用する場合には、伸縮性筒体１の下部１５を前腕部又は二の腕までの長さとすれば、手先の皮膚感覚を保持したままで日焼け止め効果もそのまま保持できる。
【産業上の利用可能性】
【００２２】この考案は、伸縮性筒体の上端を掌の親指の除く他の指を露出する開口部を形成し、該上部開口部の下方部に片側部に親指通孔を開口すると共に、前記伸縮性筒体の下方部は、関節部を締め付けるようにした伸縮性筒体下方部を設けたことによって、ハンドウオーマーにおいて五指全ての機能を保持し、且つ伸縮性筒体の下方部の長さを使用目的に応じて適宜の長さとすることによって、ファッション性、保温性、関節の保護及び日焼け止め効果をも具備させて指先の機能のみを維持した防寒具、腕や手指のファッション、日除け又は携帯電話のメールのキーボードの打ち込み等々に広く産業上利用することができるようになる。
【図面の簡単な説明】
【図１】ハンドウオーマーの斜視図
【図２】ハンドウオーマーの使用状態を示す斜視図
【図３】親指側より下側より下方斜辺を形成したハンドウオーマーの斜視図
【図４】親指側より下側より下方斜辺を形成したハンドウオーマーの使用状態斜視図
【図５】日焼け止め用ハンドウオーマーの斜視図
【符号の説明】
Ａ．．．．ハンドウオーマー
１．．．．伸縮性筒体
２．．．．上部開口部
３．．．．親指通孔
４．．．  伸縮性筒体下部
５．．．．開口部
６．．．．粘着材
７．．．．滑り止め領域
８．．．．ボタンホールステッチ
ａ．．．．親指部
ｂ．．．．親指を除く他の四本の指
Ｂ．．．．ハンドウオーマー
１０．．．親指通孔
１１．．．下方斜辺
Ｃ．．．．ハンドウオーマー
１５．．．伸縮性筒体の下部
【図１】
0003104396.tif 000003
【図２】
0003104396.tif 000004
【図３】
0003104396.tif 000005
【図４】
0003104396.tif 000006
【図５】
0003104396.tif 000007